【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
乗物の配車依頼を行う第１端末と通信するサーバであって、
前記配車依頼に関する情報と、前記第１端末の位置に関する第１情報と、前記第１端末のユーザによって設定される目的地に関する第３情報とを前記第１端末から受信し、前記乗物の位置に関する第２情報を前記乗物から受信し、前記第１端末とは異なる第２端末の位置に関する第４情報を前記第２端末から受信する通信部と、
前記第１情報と、前記第２情報と、前記第３情報と、前記第４情報とに基づく、前記乗物が移動する経路に関する情報を取得する制御を行う制御部とを備える。
【請求項２】
請求項１に記載のサーバであって、
前記経路は、前記第１情報に基づく位置と、前記第３情報に基づく位置と、前記第４情報に基づく位置とを少なくとも含む経路である。
【請求項３】
請求項１または請求項２に記載のサーバであって、
前記通信部は、前記第１端末のユーザとは異なる、前記第２端末のユーザとの前記乗物の乗り合いの同意に関する情報を受信する。
【請求項４】
請求項１から請求項３のいずれか一項に記載のサーバであって、
前記通信部は、前記乗物が経由する位置に関する情報を受信し、
前記経路は、前記乗物が経由する位置に関する情報に基づいて決定される。
【請求項５】
請求項１から請求項４のいずれか一項に記載のサーバであって、
前記通信部は、前記経路に関する情報に基づく、前記第１端末のユーザが前記目的地に到着する予想到着時刻に関する情報を前記第１端末に送信する。
【請求項６】
請求項１から請求項５のいずれか一項に記載のサーバであって、
前記乗物は、第１乗物と第２乗物とを含み、
前記制御部は、前記第１情報と、前記第１乗物の位置に関する前記第２情報と、前記第３情報と、前記第４情報とに基づく、前記第１乗物が移動する第１経路に関する情報を取得する制御を行い、前記第１情報と、前記第２乗物の位置に関する前記第２情報と、前記第３情報と、前記第４情報とに基づく、前記第２乗物が移動する第２経路に関する情報を取得する制御を行う。
【請求項７】
請求項６に記載のサーバであって、
前記通信部は、前記第１経路に関する情報に基づく、前記第１端末のユーザが前記目的地に到着する第１予想到着時刻と、前記第２経路に関する情報に基づく、前記第１端末のユーザが前記目的地に到着する第２予想到着時刻とを前記第１端末に送信する。
【請求項８】
請求項１から請求項７のいずれか一項に記載のサーバであって、
前記乗物は、複数の乗物を含み、
前記制御部は、前記第３情報に基づいて、前記複数の乗物のうちから前記第１端末のユーザに配車される乗物を選択する制御を行う。
【請求項９】
請求項８に記載のサーバであって、
前記配車される乗物は、前記複数の乗物のうち、前記第３情報に基づいて設定された範囲に含まれる乗物から選択される。
【請求項１０】
請求項１から請求項９のいずれか一項に記載のサーバであって、
前記通信部は、前記乗物に関する乗物情報を前記第１端末に送信する。
【請求項１１】
請求項１から請求項１０のいずれか一項に記載のサーバであって、
前記通信部は、前記乗物が前記第１情報に基づく位置に到着する予想時刻に関する情報を前記第１端末に送信する。
【請求項１２】
請求項１から請求項１１のいずれか一項に記載のサーバであって、
前記経路は、前記第１情報と、前記第２情報と、前記第３情報と、前記第４情報とに基づいて決定される。
【請求項１３】
請求項１２に記載のサーバであって、
前記経路は、前記第１情報と前記第２情報との第１位置関係と、前記第４情報と前記第２情報との第２位置関係とに基づいて決定される。
【請求項１４】
請求項１から請求項１３のいずれか一項に記載のサーバであって、
前記第１情報は、前記端末の位置の情報である。
【請求項１５】
請求項１から請求項１４のいずれか一項に記載のサーバであって、
前記第１情報は、前記第１端末のユーザによって入力された、前記第１端末のユーザが前記乗物に乗車する位置に関する情報である。
【請求項１６】
請求項１から請求項１５のいずれか一項に記載のサーバであって、
前記第１端末のユーザと前記第２端末のユーザとを関連付けて記憶する記憶部を備える。
【請求項１７】
請求項１から請求項１６のいずれか一項に記載のサーバであって、
前記乗物は、第１乗物を含み、
前記通信部は、前記第１端末と前記第２端末とは異なる、前記第１乗物に備わる第３端末から前記第２情報を受信する。
【請求項１８】
請求項１から請求項１７のいずれか一項に記載のサーバであって、
前記乗物は、複数の乗物を含み、
前記第２情報は、前記複数の乗物各々の位置に関する情報を含み、
前記複数の乗物各々の位置に関する情報は、前記複数の乗物各々から送信される。
【請求項１９】
請求項１から請求項１８のいずれか一項に記載のサーバであって、
前記制御部は、前記経路に関する情報を送信する制御を行う。
【請求項２０】
請求項１から請求項１９のいずれか一項に記載のサーバであって、
前記サーバは、第１機能を実行する第１サーバと第２機能を実行する第２サーバとを含む。
【請求項２１】
乗物の配車依頼を行う第１端末と通信するサーバによって実行されるプログラムであって、
前記配車依頼に関する情報と、前記第１端末の位置に関する第１情報と、前記第１端末のユーザによって設定される目的地に関する第３情報とを前記第１端末から前記サーバの通信部によって受信し、前記乗物の位置に関する第２情報を前記乗物から前記通信部によって受信し、前記第１端末とは異なる第２端末の位置に関する第４情報を前記第２端末から前記通信部によって受信することと、
前記第１情報と、前記第２情報と、前記第３情報と、前記第４情報とに基づく、前記乗物が移動する経路に関する情報を取得する制御を前記サーバの制御部によって行うこととが前記サーバによって実行される。
【請求項２２】
乗物の配車依頼を行う第１端末と通信するサーバの情報処理方法であって、
前記配車依頼に関する情報と、前記第１端末の位置に関する第１情報と、前記第１端末のユーザによって設定される目的地に関する第３情報とを前記第１端末から前記サーバの通信部によって受信し、前記乗物の位置に関する第２情報を前記乗物から前記通信部によって受信し、前記第１端末とは異なる第２端末の位置に関する第４情報を前記第２端末から前記通信部によって受信することと、
前記第１情報と、前記第２情報と、前記第３情報と、前記第４情報とに基づく、前記乗物が移動する経路に関する情報を取得する制御を前記サーバの制御部によって行うこととを含む。
【手続補正２】
【補正対象書類名】明細書
【補正対象項目名】発明の名称
【補正方法】変更
【補正の内容】
【発明の名称】サーバ、プログラム、情報処理方法
【手続補正３】
【補正対象書類名】明細書
【補正対象項目名】０００８
【補正方法】変更
【補正の内容】
【０００８】
本発明の第１の態様によると、乗物の配車依頼を行う第１端末と通信するサーバは、配車依頼に関する情報と、第１端末の位置に関する第１情報と、第１端末のユーザによって設定される目的地に関する第３情報とを第１端末から受信し、乗物の位置に関する第２情報を乗物から受信し、第１端末とは異なる第２端末の位置に関する第４情報を第２端末から受信する通信部と、第１情報と、第２情報と、第３情報と、第４情報とに基づく、乗物が移動する経路に関する情報を取得する制御を行う制御部とを備える。
本発明の第２の態様によると、乗物の配車依頼を行う第１端末と通信するサーバによって実行されるプログラムは、配車依頼に関する情報と、第１端末の位置に関する第１情報と、第１端末のユーザによって設定される目的地に関する第３情報とを第１端末からサーバの通信部によって受信し、乗物の位置に関する第２情報を乗物から通信部によって受信し、第１端末とは異なる第２端末の位置に関する第４情報を第２端末から通信部によって受信することと、第１情報と、第２情報と、第３情報と、第４情報とに基づく、乗物が移動する経路に関する情報を取得する制御をサーバの制御部によって行うこととがサーバによって実行される。
本発明の第３の態様によると、乗物の配車依頼を行う第１端末と通信するサーバの情報処理方法は、配車依頼に関する情報と、第１端末の位置に関する第１情報と、第１端末のユーザによって設定される目的地に関する第３情報とを第１端末からサーバの通信部によって受信し、乗物の位置に関する第２情報を乗物から通信部によって受信し、第１端末とは異なる第２端末の位置に関する第４情報を第２端末から通信部によって受信することと、第１情報と、第２情報と、第３情報と、第４情報とに基づく、乗物が移動する経路に関する情報を取得する制御をサーバの制御部によって行うこととを含む。
本発明の一実施形態に係る乗り合い支援装置は、複数のユーザ端末の位置を表わす複数の第１位置情報、少なくとも１つの乗物の位置を表わす第２位置情報、及び複数のユーザ端末の目的地の位置を表わす第３位置情報を取得する位置情報取得部と、第１位置情報、第２位置情報、及び第３位置情報に基づいて、第２位置情報から複数の第１位置情報を経由して第３位置情報に到達する経路を取得する経路取得部と、経路取得部により取得された経路を複数のユーザ端末に送信する送信部と、を有する。